(57)【要約】【課題】天井材の下面側に垂下する電源線の長さを調整可能であり且つ天井材からのカバーの突出寸法を小さくできる照明器具を提供する。【解決手段】天井材１００に設けた取付孔１０１の周部下面に当接する形で天井材１００に固定される円環状のフランジ部３１と、下面側が開口する有底円筒状に形成され取付孔１０１に埋め込まれた形で配置される埋込部３２とが連続一体に形成されたフランジ本体３と、灯具１に接続された電源線２が挿通され天井材１００の下面側にフランジ本体３を覆うように配設されるカバー４とを備える。埋込部３２の上壁３２ａに電源線２を挿通する挿通孔３３が形成され、挿通孔３３には、電源線２が貫挿され天井材１００の上側に収納する電源線２の長さを調整可能とする長さ調整部材であるコードアジャスタ５が挿通される。【選択図】　　　図１
2004022461.tif 000002
【特許請求の範囲】
【請求項１】
ランプを備えた灯具と、天井材に設けた取付孔の周部下面に当接する形で天井材に固定されるフランジ部および灯具に接続された電源線を挿通する第１の挿通孔が形成され取付孔に埋め込まれた形で配置される埋込部を有するフランジ本体と、電源線を挿通する第２の挿通孔を中央部に有し天井材の下面側にフランジ本体を覆うように配設されるカバーと、埋込部に保持され天井材の上側の空間に収納する電源線の長さを調整可能な長さ調整部材とを備えてなることを特徴とする照明器具。
【請求項２】
前記長さ調整部材は、上下方向を軸方向とし前記電源線が挿通される筒状であって軸方向の上端部に鍔部を有するとともに上端が開放された複数の割り溝を有し前記第１の挿通孔に貫挿されるコードアジャスタを備え、コードアジャスタは、鍔部が前記第１の挿通孔の周部に係止された状態では前記電源線を軸方向へ相対的に動かすことができず、前記第１の挿通孔の周部への鍔部の係止状態を解除することで前記電源線を軸方向へ相対的に動かすことができることを特徴とする請求項１記載の照明器具。
【請求項３】
前記埋込部における前記第１の挿通孔の周部に下端側が結合され上端側に前記電源線を接続する端子台が配設された帯板状の支持具を備え、支持具は、端子台の近傍で前記電源線を止める電源線止め部が設けられてなることを特徴とする請求項２記載の照明器具。
【請求項４】
前記端子台は前記支持具の厚み方向において前記長さ調整部材と同一側に配設されてなることを特徴とする請求項３記載の照明器具。
【請求項５】
前記端子台は前記支持具の厚み方向において前記長さ調整部材とは反対側に配設されてなることを特徴とする請求項３記載の照明器具。
【請求項６】
前記支持具は、前記埋込部の上方へ延設された基片と、基片の先端部から側方へ延設され下面に前記端子台が配設される取付片とを有することを特徴とする請求項５記載の照明器具。
【請求項７】
前記支持具は、前記埋込部の上方へ延設された基片と、基片の先端部から斜め上方へ延設され下面側に前記端子台が配設される取付片とを有することを特徴とする請求項５記載の照明器具。
【発明の詳細な説明】
【０００１】
【発明の属する技術分野】
本発明は、灯具が電源線（電源コード）により吊設される照明器具に関するものである。
【０００２】
【従来の技術】
従来から提供されている天井吊り下げ型の照明器具において、図１０に示すように、天井材１００の下面に既設された引掛シーリング１１０を介して給電されるものが知られている。図１０に示す構成の照明器具は、引掛シーリング１１０に機械的および電気的に接続される接続器１２０を備えており、接続器１２０から導出された電源線２がランプ（図示せず）を備えた灯具（図示せず）に接続されている。また、この照明器具は、接続器１２０の下側に電源線２を巻回可能な電源線収納具１３０が配設されており、天井材１００の下面側に引掛シーリング１１０と接続器１２０と電源線収納具１３０とを覆うカバー４’が配設されている。なお、カバー４’は上面側が開口された有底円筒状に形成され、底壁の中央部に電源線２を挿通する挿通孔４１’が形成されている。
【０００３】
【発明が解決しようとする課題】
ところで、上記従来構成の照明器具では、電源線２を電源線収納具１３０に巻回する巻回数を変えることでカバー４’から垂下する電源線２の長さを調整することができる（つまり、天井材１００の下面から灯具までの距離を調整することができる）が、電源線２の長さを調節するために電源線２を収納するスペースをカバー４’の内側に設ける必要があるので、天井材１００の下面からのカバー４’の突出寸法が大きくなり、見掛けがあまり良くなかった。また、電源線２のうちカバー４’内に収める部分の長さを変えることでカバー４’から灯具までの電源線２の長さを調整するので、電源線２の長さの調整範囲がカバー４’の大きさ（容積）で制限されてしまう。また、電源線２の一部を電源線収納具１３０に巻回して収納しているので、電源線２に癖がつきやすく、電源線２を伸ばしたときに電源線２が真っ直ぐに戻りにくかった。
【０００４】
本発明は上記事由に鑑みて為されたものであり、その目的は、天井材の下面側に垂下する電源線の長さを調整可能であり且つ天井材からのカバーの突出寸法を小さくできる照明器具を提供することにある。
【０００５】
【課題を解決するための手段】
請求項１の発明は、上記目的を達成するために、ランプを備えた灯具と、天井材に設けた取付孔の周部下面に当接する形で天井材に固定されるフランジ部および灯具に接続された電源線を挿通する第１の挿通孔が形成され取付孔に埋め込まれた形で配置される埋込部を有するフランジ本体と、電源線を挿通する第２の挿通孔を中央部に有し天井材の下面側にフランジ本体を覆うように配設されるカバーと、埋込部に保持され天井材の上側の空間に収納する電源線の長さを調整可能な長さ調整部材とを備えてなることを特徴とするものであり、灯具に接続された電源線の一部を天井材の上側の空間に収納することで電源線のうち天井材の下面側に垂下する部分の長さを調整することができるから、従来のように天井材の下面側で電源線の長さを調整する構成を採用する場合に比べて天井材の下面からのカバーの突出寸法を小さくすることができ、従来よりも美麗に設置できる。
【０００６】
請求項２の発明は、請求項１の発明において、前記長さ調整部材は、上下方向を軸方向とし前記電源線が挿通される筒状であって軸方向の上端部に鍔部を有するとともに上端が開放された複数の割り溝を有し前記第１の挿通孔に貫挿されるコードアジャスタを備え、コードアジャスタは、鍔部が前記第１の挿通孔の周部に係止された状態では前記電源線を軸方向へ相対的に動かすことができず、前記第１の挿通孔の周部への鍔部の係止状態を解除することで前記電源線を軸方向へ相対的に動かすことができるので、前記天井材の下面側に垂下する前記電源線の長さを容易に調整することができる。
【０００７】
請求項３の発明は、請求項２の発明において、前記埋込部における前記第１の挿通孔の周部に下端側が結合され上端側に前記電源線を接続する端子台が配設された帯板状の支持具を備え、支持具は、端子台の近傍で前記電源線を止める電源線止め部が設けられているので、前記電源線と端子台との接続部に張力がかかるのを抑制することができる。
【０００８】
請求項４の発明は、請求項３の発明において、前記端子台は前記支持具の厚み方向において前記長さ調整部材と同一側に配設されているので、前記天井材の前記取付孔に前記支持具を通す作業が容易になり、施工性が向上する。
【０００９】
請求項５の発明は、請求項３の発明において、前記端子台は前記支持具の厚み方向において前記長さ調整部材とは反対側に配設されているので、前記電源線止め部と前記コードアジャスタとの間の距離を請求項４の発明に比べて短くすることができ、前記天井材の上面側への前記支持具の突出高さを低くすることができる。
【００１０】
請求項６の発明は、請求項５の発明において、前記支持具は、前記埋込部の上方へ延設された基片と、基片の先端部から側方へ延設され下面に前記端子台が配設される取付片とを有するので、前記天井材の上面側への前記支持具の突出高さを低くすることができる。
【００１１】
請求項７の発明は、請求項５の発明において、前記支持具は、前記埋込部の上方へ延設された基片と、基片の先端部から斜め上方へ延設され下面側に前記端子台が配設される取付片とを有するので、請求項６の発明に比べて前記天井材の前記取付孔に前記支持具を通す作業が容易になり、施工性が向上する。
【００１２】
【発明の実施の形態】
以下、本実施形態の照明器具について図１ないし図７を参照しながら説明する。
【００１３】
本実施形態の照明器具は、図１に示すように、ランプＬａを備えた灯具１と、灯具１に接続された電源線（電源コード）２と、天井材１００に固定され電源線２が挿通されるフランジ本体３と、電源線２が挿通され天井材１００の下面側にフランジ本体３を覆うように配設されるカバー４とを備えている。ここにおいて、天井材１００には、円形に開口された取付孔１０１が形成されている。
【００１４】
灯具１は、ランプＬａを着脱自在に保持するランプソケット１１と、ランプＬａおよびランプソケット１１を囲むセード１２とを備えている。ここに、上述の電源線２は、一端がランプソケット１１に接続され他端が後述の端子台８に接続される。なお、端子台８には商用電源に接続された電線（図示せず）も接続される。
【００１５】
フランジ本体３は、図１ないし図５に示すように、天井材１００に設けた取付孔１０１の周部下面に当接する形で天井材１００に固定される円環状のフランジ部３１と、下面側が開口する有底円筒状に形成され取付孔１０１に埋め込まれた形で配置される埋込部３２とが連続一体に形成されており、埋込部３２の上壁３２ａに電源線２を挿通する円形状の挿通孔３３が形成されている。ただし、挿通孔３３の内径は電源線２の外径よりも大きく、電源線２を貫挿した円筒状のコードアジャスタ５が挿通されるように設定されている。なお、コードアジャスタ５については後述する。
【００１６】
フランジ本体３のフランジ部３１には、図５に示すように、木ねじよりなる固定ねじ３５の頭部の直径よりも大きい丸孔状の大径部３４ａに固定ねじの頭部の直径よりも幅狭でフランジ部３１の周方向に沿った長孔状の幅狭部３４ｂが連続するだるま孔状に形成された２つの固定孔３４，３４が形成されている。したがって、天井材１００に固定ねじ３５，３５を緩く螺入した状態で、固定ねじ３５，３５の頭部に固定孔３４，３４の大径部３４ａ，３４ａを通し、フランジ本体３を図５における右回りに回転させて幅狭部３４ｂ，３４ｂの周縁に固定ねじ３５，３５の頭部を重複させた後に固定ねじ３５，３５を締めつけることにより天井材１００にフランジ本体３を容易に取り付けることができる。
【００１７】
フランジ本体３の埋込部３２の上壁３２ａの上側にはコードアジャスタ５の外径よりも内径が大きな円筒状のガードスペーサ６がコードアジャスタ５と軸方向を一致させた形で配設されている。なお、ガードスペーサ６の下端部には、埋込部３２の上壁３２ａにおいて挿通孔３３の周縁から上方へ延設されその先端部から外方へ延設された係合部３７（図４参照）に係合する内鍔部６１（図４参照）が内方へ延設されている。また、ガードスペーサ６の上端部から断面逆Ｕ字状に折曲した折曲片６２（図４参照）が延設されているので、電源線２に傷が付くのを防止することができる。
【００１８】
上述の端子台８は、フランジ本体３の埋込部３２の上壁３２ａに取付ねじ３６，３６（図３〜図５、図７参照）を用いて結合される帯板状の支持具７に固定される。支持具７は、図２〜図４、図６および図７に示すように、埋込部３２の上壁３２ａに対して上方へ延設された基片７２と、基片７２の上端部から斜め上方へ延設され下面側に端子台８が配設される取付片７３と、基片７２の下端部から側方へ延設され埋込部３２の上壁３２ａの上面において挿通孔３３の周部に取付ねじ３５，３６を用いて結合される一対の連結片７１，７１とを備えている。支持具７は、基片７２と取付片７３とからなる部分は全体としての形状が、く字状に形成されており、ガードスペーサ６に対向する側の面とは反対側の面に端子台８が配設されている。ここに、支持具７はコードアジャスタ５の上方に端子台８が位置しないように取付片７３の延設される向きが設定されている。また、支持具７は、基片７２の中央部に電源線２が挿通される円形状の挿通孔７２ａが形成されている。したがって、一端部が灯具１に接続された電源線２は他端部がカバー４とコードアジャスタ５と挿通孔７２ａとを通して端子台８に接続される。
【００１９】
また、支持具７の基片７２には、端子台８の近傍で電源線２を止める電源線止め部としての電源線止め金具９が固定ねじ９５を用いて固定されている。電源線止め金具９は、一端部に固定ねじ９５により基片７２に重ね合わせた形で固定される固定片９１を備えるとともに、他端部に基片７２に形成された円形状の係合孔７２ｂ（図３および図６参照）に挿入され係合孔７２ｂの周部に係合する係合片９２を備えており、固定片９１と係合片９２との間に、電源線２を止める止め片９３を備えている。したがって、電源線２と端子台８との接続部に下方から張力がかかるのを抑制することができる。
【００２０】
また、上述のカバー４は、図１ないし図４に示すように、上面側が開口する浅い有底円筒状に形成され、フランジ本体３のフランジ部３１の外径よりもやや大きな外径を有している。カバー４の中央部には、電源線２を挿通される円形状の挿通孔４１が形成され、挿通孔４１の周部から上方へ円筒状の筒部４２が延設されておりている。筒部４２の上端部には内方へ突出し電源線２を押圧する押圧突起４３が形成されている。また、筒部４２には上端が開放された複数の割り溝４４が形成されている。したがって、電源線２に沿ってカバー４を動かして位置決めすることができるので、カバー４の上端縁が天井材１００の下面に当接するようにカバー４を配設することにより、フランジ本体３および固定ねじ３５および取付ねじ３６，３６が露出することがなく、外観を高めることができる。
【００２１】
ところで、フランジ本体３１の挿通孔３３に貫挿される上述のコードアジャスタ５は、上下方向を軸方向とし電源線２が挿通される円筒状であって軸方向の上端部および下端部それぞれに鍔部５１，５２を有している。また、コードアジャスタ５の上部の内周面には電源線２を締め付ける締付突起５４が内方へ突設されており、締付突起５４が形成された部位のうち下側の部分では上側に近づくにつれて徐々にコードアジャスタ５の内径が小さくなり内径が電源線２の外径よりも十分に小さくなっている。また、コードアジャスタ５は、上端が開放された複数（本実施形態では、４つ）の割り溝５３を有している。
【００２２】
埋込部３２の上壁３２ａに形成されている挿通孔３３の内径はコードアジャスタ５の外径よりも若干大きいだけであるから、コードアジャスタ５は、鍔部５１が挿通孔３３の周部に係止された状態（上側の鍔部５１の後面が上記係合部３７の上面に当接した状態）では、割り溝５３の幅を広げることができず、電源線２を相対的に動かすことができないので、コードアジャスタ５において灯具１の荷重を受けることになる。これに対して、埋込部３２における挿通孔３３の周部にコードアジャスタ５の下側の鍔部５２の上面が当接するような位置までコードアジャスタ５を移動させれば、つまり、挿通孔３３の周部への上側の鍔部５１の係止状態を解除すれば、割り溝５３の幅を広げることができるので、コードアジャスタ５に対して電源線２を相対的に動かすことができ、天井材１００の上側の空間に収納する電源線２の長さを調整することが可能となる。
【００２３】
なお、本実施形態では、コードアジャスタ５が、フランジ本体３の埋込部３２に保持され天井材１００の上側の空間に収納する電源線２の長さを調整可能な長さ調整部材を構成している。
【００２４】
しかして、本実施形態の照明器具では、天井材１００に設けた取付孔１０１の周部下面に当接する形で天井材１００に固定されるフランジ部３１および灯具１に接続された電源線２を挿通する挿通孔３３が形成され取付孔１０１に埋め込まれた形で配置される埋込部３２を有するフランジ本体３と、電源線２を挿通する挿通孔４１を中央部に有し天井材１００の下面側にフランジ本体３を覆うように配設されるカバー４と、埋込部３２に保持され天井材１００の上側の空間に収納する電源線２の長さを調整可能な長さ調整部材であるコードアジャスタ５とを備えているので、灯具１に接続された電源線２の一部を天井材１００の上側の空間に収納することで電源線２のうち天井材１００の下面側に垂下する部分の長さを調整することができるから、従来のように天井材１００の下面側で電源線２の長さを調整する構成を採用する場合に比べて天井材１００の下面からのカバー４の突出寸法を小さくすることができ、従来よりも美麗に設置できる。
【００２５】
ところで、図８に示すように、支持具７において、基片７２の上端部から側方へ取付片７３を延設するようにすれば（つまり、基片７２と取付片７３とからなる部分の全体としての形状を逆Ｌ字状とすれば）、天井材１００の上面側への支持具７の突出高さを低くすることができるという利点がある。しかしながら、図８のような支持具７を用いた場合には、施工時において、端子台８に電源線２および商用電源からの電線を接続した後で天井材１００の下方から取付孔１０１に支持具７を通す際に、支持具７が取付孔１０１を通りにくくなることがある。
【００２６】
そこで、図９に示すように、基片７２の上端部から斜め上方へ取付片７３を延設して、端子台８を支持具７の厚み方向においてコードアジャスタ５と同一側に配設するようにすれば、天井材１００の取付孔１０１に支持具７を通す作業が容易になり、施工性が向上する。なお、図９に示す構成では、端子台８が支持具７の厚み方向においてコードアジャスタ５と同一側に配設されているので、支持具７の基片７２に電源線２を通すための挿通孔７２ａを形成する必要もない。
【００２７】
しかしながら、図９に示す構成では、天井材１００の上側に収納する電源線２の長さを調整する際に電源線止め金具９とコードアジャスタとの間の距離を比較的長く確保しなければコードアジャスタ５で電源線２が突っ張ってしまうので、天井材１００の上面側への支持具７の突出高さが比較的高くなってしまう。
【００２８】
これに対して、本実施形態では、図２に示すように、端子台８が支持具７の厚み方向においてコードアジャスタ５とは反対側に配設されているので、電源線止め金具９とコードアジャスタ５との間の距離を図９の構成に比べて短くすることができ、天井材１００の上面側への支持具７の突出高さを低くすることができる。
【００２９】
【発明の効果】
請求項１の発明は、ランプを備えた灯具と、天井材に設けた取付孔の周部下面に当接する形で天井材に固定されるフランジ部および灯具に接続された電源線を挿通する第１の挿通孔が形成され取付孔に埋め込まれた形で配置される埋込部を有するフランジ本体と、電源線を挿通する第２の挿通孔を中央部に有し天井材の下面側にフランジ本体を覆うように配設されるカバーと、埋込部に保持され天井材の上側の空間に収納する電源線の長さを調整可能な長さ調整部材とを備えてなるものであり、灯具に接続された電源線の一部を天井材の上側の空間に収納することで電源線のうち天井材の下面側に垂下する部分の長さを調整することができるから、従来のように天井材の下面側で電源線の長さを調整する構成を採用する場合に比べて天井材の下面からのカバーの突出寸法を小さくすることができ、従来よりも美麗に設置できるという効果がある。
【００３０】
請求項２の発明は、請求項１の発明において、前記長さ調整部材は、上下方向を軸方向とし前記電源線が挿通される筒状であって軸方向の上端部に鍔部を有するとともに上端が開放された複数の割り溝を有し前記第１の挿通孔に貫挿されるコードアジャスタを備え、コードアジャスタは、鍔部が前記第１の挿通孔の周部に係止された状態では前記電源線を軸方向へ相対的に動かすことができず、前記第１の挿通孔の周部への鍔部の係止状態を解除することで前記電源線を軸方向へ相対的に動かすことができるので、前記天井材の下面側に垂下する前記電源線の長さを容易に調整することができるという効果がある。
【００３１】
請求項３の発明は、請求項２の発明において、前記埋込部における前記第１の挿通孔の周部に下端側が結合され上端側に前記電源線を接続する端子台が配設された帯板状の支持具を備え、支持具は、端子台の近傍で前記電源線を止める電源線止め部が設けられているので、前記電源線と端子台との接続部に張力がかかるのを抑制することができるという効果がある。
【００３２】
請求項４の発明は、請求項３の発明において、前記端子台は前記支持具の厚み方向において前記長さ調整部材と同一側に配設されているので、前記天井材の前記取付孔に前記支持具を通す作業が容易になり、施工性が向上するという効果がある。
【００３３】
請求項５の発明は、請求項３の発明において、前記端子台は前記支持具の厚み方向において前記長さ調整部材とは反対側に配設されているので、前記電源線止め部と前記コードアジャスタとの間の距離を請求項４の発明に比べて短くすることができ、前記天井材の上面側への前記支持具の突出高さを低くすることができるという効果がある。
【００３４】
請求項６の発明は、請求項５の発明において、前記支持具は、前記埋込部の上方へ延設された基片と、基片の先端部から側方へ延設され下面に前記端子台が配設される取付片とを有するので、前記天井材の上面側への前記支持具の突出高さを低くすることができるという効果がある。
【００３５】
請求項７の発明は、請求項５の発明において、前記支持具は、前記埋込部の上方へ延設された基片と、基片の先端部から斜め上方へ延設され下面側に前記端子台が配設される取付片とを有するので、請求項６の発明に比べて前記天井材の前記取付孔に前記支持具を通す作業が容易になり、施工性が向上するという効果がある。
【図面の簡単な説明】
【図１】実施形態１を示す概略構成図である。
【図２】同上の使用形態における要部断面図である。
【図３】同上の使用形態における要部断面図である。
【図４】同上の使用形態における要部断面図である。
【図５】同上に用いるフランジ本体の下面図である。
【図６】同上の要部側面図である。
【図７】同上の使用形態における要部平面図である。
【図８】同上の他の構成例を示し使用形態における要部断面図である。
【図９】同上の別の構成例を示し使用形態における要部断面図である。
【図１０】従来例を示し使用形態における概略断面図である。
【符号の説明】
１　灯具
２　電源線
３　フランジ本体
４　カバー
５　コードアジャスタ
６　ガードスペーサ
７　支持具
８　端子台
９　電源線止め金具
１１　ランプソケット
１２　セード
３１　フランジ部
３２　埋込部
３３　挿通孔
５１　鍔部
５２　鍔部
５３　割り溝
５４　締付突起
１００　天井材
１０１　取付孔
Ｌａ　ランプ
【図１】
2004022461.tif 000003
【図２】
2004022461.tif 000004
【図３】
2004022461.tif 000005
【図４】
2004022461.tif 000006
【図５】
2004022461.tif 000007
【図６】
2004022461.tif 000008
【図７】
2004022461.tif 000009
【図８】
2004022461.tif 000010
【図９】
2004022461.tif 000011
【図１０】
2004022461.tif 000012